(57)【要約】【目的】本発明は、撮影者がファインダで被写体像を見ながら、撮影の妨げとなることなく、快適に選択された領域の確認を行えるカメラを提供することを目的とする。【構成】本発明にかかる多点焦点検出可能なカメラは、背面に領域選択部材（４ａ〜４ｄ）と発音手段（３ａ〜３ｅ）とを有する。焦点検出領域は、領域選択部材（４ａ〜４ｄ）を操作することによって切り替えられ、切り替えられた領域は、発音装置（３ａ〜３ｅ）の発音によって、撮影者に告知される。【選択図】    図１
2005043488.tif 000002
【特許請求の範囲】
【請求項１】
撮影画面内の複数の領域の中から撮影に際して用いられる領域を  選択可能なカメラであって、
前記撮影画面内の複数の領域の位置に対応付けて設けられ、
前記選択された領域の位置を音によって告知する発音装置を有することを特徴とするカメラ。
【請求項２】
前記発音装置は、狭指向性の発音特性を有する
ことを特徴とする請求項１に記載のカメラ。
【請求項３】
音声を集音する集音装置をさらに有し、
該集音装置の出力する音声信号の記憶動作と、前記発音装置による発音動作とが並行して実行されることを禁止する制御回路を有する
ことを特徴とする請求項１に記載のカメラ。
【請求項４】
撮影画面内の複数の領域の中から撮影に際して用いられる領域を  選択可能なカメラであって、
前記選択された領域の位置を振動によって告知する振動発生装置を有することを特徴とするカメラ。
【請求項５】
前記振動発生装置は、前記撮影画面内の複数の領域の位置に対応付けて設けられる
ことを特徴とする請求項４に記載のカメラ。
【請求項６】
前記振動発生装置を振動させる振動駆動動作と、
前記撮影に際して被写体像が露光される露光体に対する該被写体像の露光動作とが並行して実行されることを禁止する制御回路を有する
ことを特徴とする請求項４に記載のカメラ。
【請求項７】
音声を集音する集音装置をさらに有し、
該集音装置の出力する音声信号の記憶動作と、前記振動発生装置を振動させる振動駆動動作とが並行して実行されることを禁止する制御回路を有する
ことを特徴とする請求項４に記載のカメラ。
【請求項８】
前記振動発生装置を、前記複数の領域から選択された領域の位置  に応じて、異なる振動特性で振動するように制御する制御回路を有する
ことを特徴とする請求項４に記載のカメラ。
【請求項９】
前記音は、２チャンネルステレオ音声であり、
前記発音装置は、前記２チャンネルのステレオ音声の各チャンネル音声を、複数の聴音部によって独立に聴音可能に構成され、
前記選択された領域の位置に応じて、前記複数の聴音部のうちの１つを選択して発音させる制御回路を有する
ことを特徴とする請求項１に記載のカメラ。
【請求項１０】
前記撮影に際して用いられる領域は、２次元的に配置された複数の領域から選択可能とされ、
前記選択された領域を、その位置に応じて、前記２次元のうちの一方の１次元の方向について、前記２チャンネルステレオ音声の各チャンネル音声の発音の有無を変更させることによって告知し、
前記２次元のうちの他方の１次元の方向について、前記２チャンネルステレオ音声の発音特性を変更することによって告知する
ことを特徴とする請求項９に記載のカメラ。
【請求項１１】
前記カメラの保持方向を検出する方向検出装置をさらに有し、
前記複数の発音部からの発音の形態を、前記方向検出装置の検出結果に基づいて変更する制御回路を有する
ことを特徴とする請求項１に記載のカメラ。
【請求項１２】
前記領域は、焦点検出領域である
ことを特徴とする請求項１、または請求項４に記載のカメラ。
【発明の詳細な説明】
【０００１】
【発明の属する技術分野】
本発明は、例えば焦点検出などのように、撮影画面内に複数設けられた領域
から、撮影に際して用いられる領域を選択するカメラに関するものである。
【０００２】
【従来の技術】
焦点検出領域を複数備えた所謂多点測距カメラが知られている。
【０００３】
この種のカメラにおいては、撮影者が複数の焦点検出領域の中から、所望の焦点検出領域を任意に選択できるモードを備えている。
【０００４】
下記特許文献１には、選択された焦点検出領域が、ファインダ内に設けられた焦点検出領域表示部を用いて，ファインダ視野内の撮影像表示部に重畳されて点灯表示されるカメラが開示されている。
【０００５】
しかしながら、上記特許文献１に開示されるようなカメラの場合には、選択された焦点検出領域が、ファインダ視野内の被写体像に重畳して点灯表示されるので、被写体像視認の妨げとなることがある、という問題点があった。
【０００６】
一方、下記特許文献２には、選択された測距ポイントに応じて、異なる発音パターン（例えば、「ピッ」と「ピッピッ」）で発音部から発音し、選択された測距ポイントを音によって撮影者に告知するカメラが開示されている。
【０００７】
【特許文献１】
特開平８−５４６７５号公報
【０００８】
【特許文献２】
特開２００１−５９９８７号公報
【０００９】
【発明が解決しようとする課題】
しかしながら、上記特許文献２に開示されるようなカメラの場合には、選択された測距ポイントが直感的にわかりにくい、という問題点があった。
【００１０】
本発明は、上記問題点に鑑みてなされたもので、撮影者がファインダで被写体像を見ながら、撮影の妨げとなることなく、快適に選択された領域の確認を行えるカメラを提供することを目的とする。
【００１１】
【課題を解決するための手段】
上記課題を解決するために、請求項１に記載のカメラは、撮影画面内の複数の領域の中から撮影に際して用いられる領域を選択可能なカメラであって、撮影画面内の複数の領域の位置に対応付けて設けられ、選択された領域の位置を音によって告知する発音装置を有することを特徴とする。
【００１２】
請求項２に記載のカメラは、狭指向性の発音特性をもつ発音装置を有することを特徴とする。
【００１３】
請求項３に記載のカメラは、音声を集音する集音装置をさらに有し、集音装置の出力する音声信号の記憶動作と、前記発音装置による発音動作とが並行して実行されることを禁止する制御回路を有することを特徴とする。
【００１４】
請求項４に記載のカメラは、撮影画面内の複数の領域の中から撮影に際して用いられる領域を選択可能なカメラであって、選択された領域の位置を振動によって告知する振動発生装置を有することを特徴とする。
【００１５】
請求項５に記載のカメラは、振動発生装置が、撮影画面内の複数の領域の位置に対応付けて設けられることを特徴とする。
【００１６】
請求項６に記載のカメラは、振動発生装置を振動させる振動駆動動作と、撮影に際して被写体像が露光される露光体に対する被写体像の露光動作とが並行して実行されることを禁止する制御回路を有することを特徴とする。
【００１７】
請求項７に記載のカメラは、音声を集音する集音装置をさらに有し、集音装置の出力する音声信号の記憶動作と、前記振動発生装置を振動させる振動駆動動作とが並行して実行されることを禁止する制御回路を有することを特徴とする。
【００１８】
請求項８に記載のカメラは、振動発生装置を、複数の領域から選択された領域の位置に応じて、異なる振動特性で振動するように制御する制御回路を有することを特徴とする。
【００１９】
請求項９に記載のカメラは、音が、２チャンネルステレオ音声であり、発音装置が、２チャンネルのステレオ音声の各チャンネル音声を、複数の聴音部によって独立に聴音可能に構成され、選択された領域の位置に応じて、複数の聴音部のうちの１つを選択して発音させる制御回路を有することを特徴とする。
【００２０】
請求項１０に記載のカメラは、撮影に際して用いられる領域は、２次元的に配置された複数の領域から選択可能とされ、選択された領域を、その位置に応じて、２次元のうちの一方の１次元の方向について、２チャンネルステレオ音声の各チャンネル音声の発音の有無を変更させることによって告知し、２次元のうちの他方の１次元の方向について、２チャンネルステレオ音声の発音特性を変更することによって告知することを特徴とする。
【００２１】
請求項１１に記載のカメラは、カメラの保持方向を検出する方向検出装置をさらに有し、複数の発音部からの発音の形態を、方向検出装置の検出結果に基づいて変更する制御回路を有することを特徴とする。
【００２２】
請求項１２に記載のカメラは、前記領域が、焦点検出領域であることを特徴とする。
【００２３】
【発明の実施の形態】
以下、本発明の実施の形態について、図１に示される多点測距可能な自動合焦カメラを例にとって説明する。
【００２４】
図１は、本発明の第１の実施形態による多点測距可能な自動合焦カメラの背面斜視図である。
【００２５】
本発明による自動合焦カメラは、例えばカメラ本体１と撮影のために用いられる着脱可能なレンズ１２とから構成される。
【００２６】
カメラ本体１には、カメラ本体１の背面から見て右側に形成されたグリップ部上部に配置されるレリーズ釦２と、撮影に関する各種の設定を行う情報設定ダイアル８と、カメラ本体１の上部に配置され撮影される被写体像を確認するファインダ接眼窓６と、ファインダ接眼部６と情報設定ダイアル８との間に配置され、各種設定情報等を表示する外部表示器９と、カメラ本体１の上部でファインダ接眼窓６の左側に配置される電源スイッチ８０と、ファインダ接眼窓６の上部に配置されるマイク８３とが備えられている。外部表示器９は、例えば液晶表示素子で構成される。
【００２７】
カメラ本体１とレンズ１２に内蔵される各電気回路の電源は、グリップ部内部にカメラ本体１の下方から挿入される電池２００（図６参照）によって供給される。
【００２８】
本発明による第１の実施形態においては、さらに裏蓋１１上に、焦点検出領域を選択する際に操作される領域選択部材４ａ〜４ｄと、領域選択部材４ａ〜４ｄの操作によって選択された焦点検出領域を音によって撮影者に告知する際に用いられる発音装置としての圧電ブザー３ａ〜３ｅとが設けられている。
【００２９】
レンズ１２を介して入射される被写体像は、光電変換素子１０１（図２参照）によって電気信号に変換され、所定の信号処理が施された後、記憶媒体挿脱用開口部８１よりカメラ本体１に挿入された記憶媒体８２に記憶される。
【００３０】
本実施形態においては、集音装置としてのマイク８３の出力する音声信号も、同様に記憶媒体８２に記憶可能な構成とされている。
【００３１】
図２は、図１で示される自動合焦カメラの撮影待機状態における側面断面図である。
【００３２】
カメラ本体１の内部には、メインミラー１３、サブミラー１４、焦点検出装置１５、スクリーン１６、ペンタプリズム１７、プリズム１８、接眼レンズ５、測光装置１９、レンズ駆動装置２０、シャッタ１０２、光電変換素子１０１、及びカメラの動作を制御するＭＰＵを含む電気回路１００が設けられている。
【００３３】
光電変換素子１０１としては、例えばＣＣＤ、撮像管が用いられる。
【００３４】
一方、レンズ１２には、レンズ群１０と、合焦動作の際にレンズ群１０を駆動する駆動装置２２と、駆動装置２２にレンズ駆動装置２０の動力を伝達する動力伝達装置２４とが設けられている。
【００３５】
メインミラー１３は、レンズ１２を構成するレンズ群１０を介して入射された被写体像を、光電変換素子１０１の撮像面と共役な位置に配置されたスクリーン１６の方向に反射させる。
【００３６】
スクリーン１６上に結像された被写体像は、ペンタプリズム１７、接眼レンズ５及びファインダ接眼窓６を介して、撮影者によって視認される。
【００３７】
スクリーン１６上に結像された被写体像を構成する光束の一部は、プリズム１８を介して測光装置１９に入射される。
【００３８】
測光装置１９は、スクリーン１６上の像を構成する光束の一部について、分割された所定の複数領域の各々において電気信号に変換し、各領域の明るさを示す信号を電気回路１００に供給する。
【００３９】
電気回路１００は、測光装置１９から得られた電気信号をもとに、例えば光電変換素子１０１の電荷蓄積時間を制御する。
【００４０】
ここで、メインミラー１３は、部分的にハーフミラーで構成されており、レンズ１２を構成するレンズ群１０を介して入射される入射光の一部は、メインミラー１３を透過し、サブミラー１４によって反射され、焦点検出装置１５に導かれる。
【００４１】
図３は、焦点検出装置１５の一部を構成する焦点検出の光学系を説明する説明図である。
【００４２】
ここでは、焦点検出方式として、例えば２次結像位相差方式を例にとって説明するが、本発明は特にこれには限定されず、例えば、撮像素子で撮像した被写体像の高周波成分より撮影レンズの焦点状態を検出する所謂山登り法を用いるもの、あるいは別の焦点検出方式、またはそれらの組み合わせを用いるものであってもよい。
【００４３】
一般に、２次結像位相差方式の焦点検出装置においては、撮影レンズの異なる領域を通過した光束を一対の２次結像レンズによって、対応する一対のセンサ上に再結像させて、その出力により撮影レンズの焦点状態を検出する。
【００４４】
図３に示すように、焦点検出光学系は、焦点検出面に設置されたフィールドレンズ３００、一対の再結像レンズ３１０ａ、３１０ｂ、及び一対のイメージセンサ１４０ａ，１４０ｂからなり、一組の再結像光学系により構成されている。
【００４５】
前記焦点検出面に形成された被写体像は、一対のイメージセンサ１４０ａ、１４０ｂ上に再結像される。
【００４６】
このような構成において、イメージセンサ１４０ａが受光する光束は、再結像レンズの開口がフィールドレンズ３００により撮影光学系の射出瞳３２０上に撮影される領域３３０を通過する光束となる。同様に、イメージセンサ１４０ｂが受光する光束は、射出瞳３２０上の領域３４０を通過する光束となる。
【００４７】
焦点検出光学系において、レンズ１２を含む撮影光学系により形成される被写体像面が、焦点検出面と一致している場合には、一対のイメージセンサ１４０ａ，１４０ｂ上に光学系配置により決まる所定の位置関係で２つの被写体像が再結像される。
【００４８】
一方、被写体像面が焦点検出面より光軸方向に偏位している場合には、一対のイメージセンサ１４０ａ，１４０ｂ上に形成される一対の被写体像が、前記所定の位置関係からイメージセンサ１４０ａ，１４０ｂ上で横方向に偏位する。
【００４９】
このように、一対のイメージセンサ１４０ａ，１４０ｂの出力より一対の被写体像の位置関係を求め、その位置関係と前記所定の位置関係を比較することにより、被写体像面の焦点検出面からの偏位方向および偏位量を検出することができる。
【００５０】
本実施形態においては、撮影レンズの焦点状態の検出を撮影画面内の複数の領域で可能とするために、図３に示される光学系が複数設けられた構成とされている。
【００５１】
図４は、焦点検出装置１５の構成例を示す説明図である。
【００５２】
焦点検出装置１５は、例えば図５に示されるように、撮影画面２５内の上部２６ａ、下部２６ｃ、左部２６ｄ、右部２６ｂ、中央部２６ｅの２次元的に配置された５つの領域で焦点検出が可能である。
【００５３】
撮影レンズ１２を透過した光束は、メインミラー１３、サブミラー１４、視野マスクＳＭ、フィールドレンズＬ０、反射ミラーＭ３、及び絞りマスクＡＭを経て、２次結像レンズＬ２を介して、イメージセンサ２７に入射される。イメージセンサ２７は、例えばＣＣＤで構成される。
【００５４】
なお、図４においては、簡単のため、撮影レンズ１２を１枚のレンズとして簡易的に示している。
【００５５】
視野マスクＳＭは、図５で示される各領域部分を開口とし、それ以外の領域を遮光する構成とされている。
【００５６】
ここで、視野マスクＳＭに近接して配置されるフィールドレンズＬ０は、撮影レンズ１２を透過した光のうち、撮影画面内の上部領域の光束を透過させるＬ０４、撮影画面内の下部領域の光束を透過させるＬ０５、撮影画面内の右部領域の光束を透過させるＬ０３、撮影画面内の左部領域の光束を透過させるＬ０２、撮影画面内の中央部領域の光束を透過させるＬ０１の各領域で構成される。
【００５７】
電気回路１００に含まれる不図示のＭＰＵは、イメージセンサ２７より、上記各領域に相当する信号を読み出し、前記所定の位置関係と比較することによって、
上記各領域の焦点状態を検出する。
【００５８】
ＭＰＵは、撮影者によって選択された焦点検出領域に相当するイメージセンサ２７から読み出された信号をもとに、選択された焦点検出領域の焦点状態を判断し、レンズ駆動装置２０に対して、撮影レンズ１２を合焦状態へと移行させるように駆動信号を出力する。
【００５９】
レンズ駆動装置２０の動力は、動力伝達装置２４を介して、撮影レンズ１２内の駆動装置２２に伝達され、レンズ群１０が合焦状態となるように駆動される。
【００６０】
図６は、カメラ本体１と撮影レンズ１２とからなるカメラシステムを制御する制御系を示すブロックダイアグラムである。
【００６１】
図６に示される電気回路は、全て電池２００によって駆動される。
【００６２】
８０は、電池２００からその他の電気回路への電源の供給をオン／オフする電源スイッチである。
【００６３】
図６における制御回路４２は、記憶部に格納されたソフトウェアによって動作を行う不図示のＭＰＵを含んで構成される。
【００６４】
制御回路４２は、図２に示される測光装置１９を構成する測光素子２８、図４に示される焦点検出装置１５の一部を構成するイメージセンサ２７、外部表示器９を駆動するために用いられる表示駆動回路２９、シャッタ１０２を駆動するために用いられるシャッタ駆動回路２０１、メインミラー１３とサブミラー１４とを駆動するために用いられるミラー駆動回路２０２、情報設定ダイアル８の情報設定に伴う回転動作に連動してパルスを発生するパルス発生回路３１、動力伝達装置２４を介して駆動装置２２によってレンズ群１０を構成する各レンズを駆動する際に用いられるレンズ駆動装置２０、撮影の際に操作されるレリーズ釦２に接続される。
【００６５】
レリーズ釦２は、制御回路４２で、後述する半押し状態と全押し状態とを判別できるように、半押し状態と全押し状態と非操作状態とで異なる信号を出力可能な構造とされている。
【００６６】
レンズ１２を介して光電変換素子１０１の撮像面に結像された被写体像は、光電変換素子１０１で電気信号に変換され、信号処理回路２０３で、γ処理、ホワイトバランス処理等の所定の信号処理が施された後、記憶媒体８２に例えばディジタル信号として記憶される。
【００６７】
さらに、集音装置であるマイク８３から出力された音声信号は、信号処理回路２０３で増幅された後、記憶媒体８２に例えばディジタル信号として記憶される。
【００６８】
制御回路４２は、上記光電変換素子１０１の駆動回路を含み、該駆動回路によって光電変換素子１０１を駆動制御すると共に、信号処理回路２０３の動作、及び記憶媒体８２への画像信号、音声信号の書きこみを制御する。
【００６９】
領域選択部材４ａ，４ｂ，４ｃ，４ｄは、各々、スイッチ３８，３９，４０，４１に連動する。
【００７０】
スイッチパルス発生回路３４，３５，３６，３７は、各々スイッチ３８，３９，４０，４１に接続され、各々のスイッチの操作に基づいて、制御回路４２に対してスイッチパルスを発生する。
【００７１】
また、制御回路４２は、圧電ブザー３ａ，３ｂ，３ｃ，３ｄ，３ｅの各々に接続されるブザー駆動回路４３，４４，４５，４６，４７に接続されている。
【００７２】
圧電ブザー３ａ，３ｂ，３ｃ，３ｄ，３ｅより発音させるために、制御回路４２は、各々ブザー駆動回路４３，４４，４５，４６，４７を駆動する。
【００７３】
次に、本発明の第１の実施形態による焦点検出領域の選択動作について説明する。本実施形態によるカメラは、前記領域選択部材４ａ〜４ｄを用いて図５に示す５つの焦点検出領域の中から所望の焦点検出領域を手動で選択することができる。
【００７４】
まずはじめに焦点検出領域が図７（ａ）のように領域マーク２６ｂの位置にあるとすると、撮影者が撮影準備に入り、レリーズ釦２を半押しした時、制御回路４２がブザー駆動回路４４に対して信号を出力し圧電ブザー３ｂを鳴らして撮影者に現在の焦点検出領域を知らせる。
【００７５】
次に図７（ｂ）のように領域マーク２６ａの位置に焦点検出領域を移動させるべく、領域選択部材４ｄを使い領域マーク２６ｅの位置まで移動させる。
【００７６】
この時、制御回路４２がブザー駆動回路４７に対して信号を出力し、圧電ブザー３ｅを鳴らして撮影者に現在の焦点検出領域を知らせる。
【００７７】
さらに領域選択部材４ａを使って領域マーク２６ａの位置に移動させる。この時、制御回路４２がブザー駆動回路４３に対して信号を出力し圧電ブザー３ａを鳴らして撮影者に現在の焦点検出領域を知らせる。
【００７８】
このような構成とすることで、撮影者は視覚によらず音によって選択された焦点検出領域の位置を知ることができる。
【００７９】
ここで、例えば、選択された焦点検出領域によって、圧電ブザーから発音する音の長さを異なるものとすれば、選択された焦点検出領域の把握が容易になる。
【００８０】
選択された焦点検出領域によって、圧電ブザーから発音する音の長さを変更することに代えて、音の大小、音の高低のように音の長さとは異なる発音特性を変更する構成としてもよい。
【００８１】
さらには、選択された焦点検出領域によって、圧電ブザーから発音する音を異なる和音としたり、もしくは圧電ブザーに代えて少なくとも１つのスピーカを用いて予め制御回路４２に記憶された声により、例えば「上」「下」「右」「左」「中央」と発音の内容を変更するものであっても構わない。
【００８２】
さらには、上記の何れかの少なくとも２つの組み合わせによって、選択された領域を判別する構成としてもよい。
【００８３】
このように、選択された領域に応じて、発音装置の発音内容、または発音特性を変更することによって、撮影者は、ファインダ内の被写体の視認を妨げられることなく、選択された領域を識別することができる。
【００８４】
特に、発音装置を上記複数の領域の位置に対応させて配置するような場合には、狭指向性の発音特性をもつ発音装置を用いることで、選択された領域の識別がより一層容易となる。
【００８５】
このようにして、撮影者により、ある焦点検出領域が選択されると、焦点検出装置１５は、その焦点検出領域が検出している被写体に合焦しているか否かを判別し、それに応じた信号を、焦点検出情報として制御回路４２に出力する。
【００８６】
制御回路４２は、焦点検出装置１５から出力される焦点検出情報に基づいて、レンズ駆動装置２０に対して制御信号を出力する。レンズ駆動装置２０は、この制御信号を受けて、動力伝達装置２４を介して、動力を駆動装置２２に伝達し、レンズ群１０の中の少なくとも一枚のレンズを駆動して合焦動作を行う。
【００８７】
以下、図８に示すフローチャートにより、本発明による第１の実施形態の動作について説明する。
【００８８】
図８に示されるフローチャートは、制御回路４２によって繰り返し実行される。
【００８９】
図８のステップＳ１１において、カメラ本体１に設けられた電源スイッチ８０がオンされると、カメラ本体１およびレンズ１２の各部においてイニシャライズ動作が開始される。
【００９０】
この時点で、カメラ本体１の制御回路４２に含まれるＭＰＵのイニシャライズが行われ、外部表示器９は表示可能状態、メインミラー１３とサブミラー１４は図２に示される撮影待機状態、圧電ブザー３ａ〜３ｅは消音状態とされ、レンズ１２のレンズ群１０内の各レンズは各々駆動装置２２によって所定の位置に配置される。
【００９１】
ステップＳ１１に続くステップＳ１２において、制御回路４２は、レリーズ釦２の状態を示す信号を受けつけて、レリーズ釦２が半押しされているか否かについて判断する。
【００９２】
制御回路４２は、レリーズ釦２が半押しされたと判断すると、現在の焦点検出領域の位置を確認し（ステップＳ１３）、確認された位置に対応する３ａ〜３ｅの何れかの圧電ブザーを、対応する４３〜４７の何れかのブザー駆動回路によって駆動する（ステップＳ１４）。
【００９３】
なお、何れかのブザー駆動回路が制御回路４２によって駆動されている間は、信号処理回路２０３によって、マイク８３より出力された音声信号の記憶媒体８２への記憶が禁止される。
【００９４】
一方、制御回路４２は、ステップＳ１２でレリーズ釦２が半押しされていないと判断すると、ステップＳ２７に分岐し、本処理を終了する。
【００９５】
次にステップＳ１５で、制御回路４２に含まれるＭＰＵのタイマー処理によって所定時間が経過したか否かが判断される。所定時間としては、例えば４秒が選ばれるが、４秒には限定されない。制御回路４２は、所定時間が経過するまでステップＳ１５を繰り返す。
【００９６】
ステップＳ１５により所定の時間が経過すると、ステップＳ１６で、焦点検出領域が領域選択部材４ａ〜４ｄの何れかによって切り替えられたか否かを判断する。即ち、制御回路４２は、スイッチ３８，３９，４０，４１に各々接続されるパルス発生回路３４，３５，３６，３７よりパルスが発生されたか否かを判断する。
【００９７】
パルス発生回路３４，３５，３６，３７の何れかからパルスが発生された、即ち焦点検出領域が切り替えられたと判断した場合には、切り替えられた焦点検出領域の位置を確認し（ステップＳ１７）、選択された焦点検出領域に対応した３ａ〜３ｅの何れかの圧電ブザーを、対応する４３〜４７の何れかのブザー駆動回路によって予め定められた時間の間駆動する（ステップＳ１８）。
【００９８】
例えば、発音装置として圧電ブザー３ａが選択された場合は、ブザー駆動回路４３は、圧電ブザー３ａを１秒の間駆動し、圧電ブザー３ｂが選択された場合は、ブザー駆動回路４４は、圧電ブザー３ｂを２秒の間駆動する。さらに、発音装置として圧電ブザー３ｃ，３ｄ，３ｅが選択された場合には、ブザー駆動回路４５，４６，４７は、圧電ブザー３ｃ，３ｄ，３ｅを、各々３秒，４秒、５秒の間駆動する。
【００９９】
ステップＳ１８の処理の終了後、再び、ステップＳ１５に戻り、所定時間の経過の後、領域選択部材４ａ〜４ｄの何れかによって焦点検出領域が切り替えられたか否かを判定し（ステップＳ１６）、焦点検出領域が切り替えられていれば、前述と同じ過程を繰り返す。
【０１００】
ステップＳ１６で、焦点検出領域が切り替えられていなければ、即ち所定時間内に領域選択部材４ａ〜４ｄの何れも操作されていなければ、制御回路４２は、レリーズ釦２が半押し状態か否かについてステップＳ１２と同様の方法によって判断する（ステップＳ１９）。
【０１０１】
ステップＳ１９で、レリーズ釦２が半押しされていると判断した場合には、制御回路４２は、焦点検出装置１５によって、選択された焦点検出領域の被写体に対して焦点検出動作を行い（ステップＳ２０）、レンズ駆動装置２０、動力伝達装置２４、および駆動装置２２によって、レンズ群１０を構成するレンズの少なくとも１枚のレンズを駆動して、合焦動作を行う（ステップＳ２１）。
【０１０２】
一方、ステップＳ１９で、レリーズ釦２が半押しされていないと判断した場合には、ステップＳ２７に分岐し、本動作を終了する。
【０１０３】
ステップＳ２２で、制御回路４２は、合焦状態にあるか否かを判断し、合焦状態にないと判断した場合には、ステップＳ１５に戻る。
【０１０４】
ステップＳ２２に続くステップＳ２３で、制御回路４２は、レリーズ釦２が全押しされているか否かについて判断する。
【０１０５】
ステップＳ２３で、レリーズ釦２が全押しされていると判断されると、測光装置１９により測光が行われる（ステップＳ２４）。
【０１０６】
ステップＳ２３で、レリーズ釦２が全押しされていないと判断されると、ステップＳ２３の判断を繰り返す。
【０１０７】
制御回路４２は、ステップＳ２４で実行される測光の結果に基づいて、適切な露光を行うための光電変換素子１０１の電荷蓄積時間を演算によって決定し、ステップＳ２５で、上記演算によって得られた電荷蓄積時間以上の間、シャッタ１０２が開口状態を保持するようシャッタ駆動回路２０１を駆動すると共に、メインミラー１３、サブミラー１４を退避状態（ミラーアップ状態）に移行し、光電変換素子１０１が露光するように、ミラー駆動回路２０２に対して駆動信号を発生する。
【０１０８】
制御回路４２は、さらに、光電変換素子１０１に対して、上記演算によって得られた電荷蓄積時間の間、光電変換素子１０１の撮像面上に結像された被写体像による電荷を蓄積するように、光電変換素子１０１に対して駆動信号を発生する。
ステップＳ２５に続くステップＳ２６で、制御回路４２は、光電変換素子１０
１に蓄積された蓄積電荷を読み出すように、駆動信号を発生する。
【０１０９】
このようにして光電変換素子１０１から読み出された蓄積電荷は、信号処理回路２０３で、γ処理、ホワイトバランス処理等の所定の処理が施され、記憶媒体８２に、例えばディジタル信号として記憶される。
【０１１０】
制御回路４２は、信号処理回路２０３、記憶媒体８２に対して制御信号を発生し、上記の各処理を実行すると共に、シャッタ駆動回路２０１、ミラー駆動回路２０２を駆動することにより、シャッタ１０２、及びメインミラー１３、サブミラー１４を図２に示される撮影待機状態とする。
【０１１１】
制御回路４２は、ステップＳ２６に続くステップＳ２７で、一連の制御を終了する。
【０１１２】
上記の第１の実施形態においては、音によって選択された領域を告知する例について説明したが、選択された領域を振動によって告知する構成としてもよい。
【０１１３】
これは、図２に示される圧電ブザー３ａ〜３ｅを振動発生装置に、またブザー駆動回路４３〜４７を振動発生装置駆動回路に置きかえることで容易に実現できる。
【０１１４】
選択された領域を振動によって告知する場合には、例えば、振動の周波数や、振動の継続・停止時間等の振動特性を、選択された領域によって変更する構成としてもよい。
【０１１５】
選択された領域を、音と振動とを併用して告知する構成とすれば、より一層、選択された領域の識別が容易となる。
【０１１６】
このように、振動によって選択された領域を告知する構成とした場合にも、振動発生装置による振動の発生中は、音声信号の記憶媒体への記憶を禁止することによって、振動に起因する不要な音声信号が記憶媒体に記憶されることを防止することができる。
【０１１７】
さらに、図８のステップＳ２５、ステップＳ２６に記した光電変換素子１０１の電荷蓄積動作中に、振動発生装置による振動の発生を禁止する構成とすれば、振動に起因する、撮像画像のぶれの発生を防止することができる。
【０１１８】
これらの禁止制御は、制御回路４２によってなされる。
【０１１９】
また、上記図８のフロ−チャートにおいては、焦点検出の後に、測光が行われる例について示したが、測光の後に焦点検出が行われるものであっても構わない。
【０１２０】
また、上記第１の実施形態においては、焦点検出領域を選択する例について示したが、本発明は、例えば測光領域等、撮影の際に用いる焦点検出領域以外の領域、機能を選択するものについても同様に適用することができる。
【０１２１】
さらに、上記説明においては、撮影者が、複数の領域の中から所望の領域を操作部材を用いて選択する手動モードについて説明したが、本発明は、制御回路４２に含まれるＭＰＵが予め定められたアルゴリズムによって、例えばスクリーン１６上に結像された被写体像より、自動的に領域を選択するような自動モードの場合にも適用することができる。
【０１２２】
即ち、自動モードで選択された領域も、発音装置、もしくは振動発生装置によって撮影者に告知する構成とすることもできる。
【０１２３】
このような構成とした場合でも、撮影者は、ファインダ視野内の被写体像の視認が妨げられることなく、選択された領域の確認が行える。
【０１２４】
さらには、ファインダ内の被写体像への選択された領域の電気的な重畳表示をオン／オフ可能な構成としておけば、注目する被写体部分と選択された領域とが重ならない場合には、重畳表示をオン状態とすることができる。
【０１２５】
これは、選択された領域をスクリーン１６上の像に電気的に重畳表示するファインダ表示器と、該ファインダ表示器を駆動する表示駆動回路を設け、制御回路４２によって、その表示のオン／オフを制御することで実現できる。
【０１２６】
また、発音装置を各々の領域に対応させて配置し、選択された領域をその領域に対応した発音装置の発音によって告知する構成としたので、選択された領域の直感的な把握が可能となる。
【０１２７】
ここで、発音装置の指向性を、例えば半値幅が約９０°以下の狭指向性とすれば、音の発生位置の識別が容易となるので、選択された領域の把握がさらに容易となり好都合である。
【０１２８】
また、選択された領域によって、発音装置による発音特性を異なる構成とすれば、より一層、選択された領域の把握が容易となる。
【０１２９】
発音装置の発音内容を、選択された領域を示す言語（例えば「上」「下」等）のように異なる発音内容で行う構成、あるいは選択された領域をその領域によって異なる発音特性（例えば、音の長さ、高低、和音等）で告知する構成とすれば、単一の発音手段で上記と同様の効果が得られる。
【０１３０】
さらには、発音装置（３ａ〜３ｅ）による発音中は、集音装置（８３）の出力する音声信号の記憶媒体（８２）への記憶を禁止する構成としたので、本来記憶したい音に無関係の音が、記憶媒体に記憶されることを防止することができる。
【０１３１】
図９は、本発明の第２の実施形態による多点測距可能な自動合焦カメラの背面斜視図である。
【０１３２】
なお、図９において、図１に示す自動合焦カメラと同様の機能を果たす要素については、図１と同じ番号を付し、ここでの説明は省略する。
【０１３３】
第２の実施形態におけるカメラ本体１は、第１の実施形態において裏蓋１１に設けられた圧電ブザー３ａ〜３ｅに代えてグリップの側面部に設けられたイヤホンジャック５００に、発音装置であるイヤホン２１が接続可能な構成とされている。イヤホン２１は、ステレオ音を左右の耳で独立に聴音可能な構成とされており、操作者は、図９中にＲで示されるＲ聴音部を右の耳に、Ｌで示されるＬ聴音部を左の耳に装着することで多重音声である２チャンネルステレオ音を左右の耳で独立に聴音する。
【０１３４】
レンズ１２を介して入射される被写体像は、第１の実施形態と同様に、光電変換素子１０１（図２参照）によって電気信号に変換され、所定の信号処理が施された後、記憶媒体挿脱用開口部８１よりカメラ本体１に挿入された記憶媒体８２に記憶される。
【０１３５】
集音装置であるマイク８３の出力する音声信号も、同様に記憶媒体８２に記憶可能な構成とされている。
【０１３６】
カメラ本体１は、図２に示される第１の実施形態と同様の内部構造を有し、第１の実施形態において説明した焦点検出装置１５（図４参照）と同様の構成からなる焦点検出装置１５を有する。
【０１３７】
図１０は、第２の実施形態におけるカメラシステムを制御する制御系を示すブロックダイアグラムである。
【０１３８】
なお、図１０においては、図６に示される第１の実施形態のブロックダイアグラム中のユニットと同様の機能を有するユニットについては、図６と同じ番号を付している。
【０１３９】
図１０における制御回路４２は、記憶部に格納されたソフトウェアによって動作を行う不図示のＭＰＵを含んで構成される。
【０１４０】
制御回路４２は、図２に示される測光装置１９を構成する測光素子２８、図４に示される焦点検出装置１５の一部を構成するイメージセンサ２７、外部表示器９を駆動するために用いられる表示駆動回路２９、シャッタ１０２を駆動するために用いられるシャッタ駆動回路２０１、メインミラー１３とサブミラー１４とを駆動するために用いられるミラー駆動回路２０２、情報設定ダイアル８の情報設定に伴う回転動作に連動してパルスを発生するパルス発生回路３１、動力伝達装置２４を介して駆動装置２２によってレンズ群１０を構成する各レンズを駆動する際に用いられるレンズ駆動装置２０、撮影の際に操作されるレリーズ釦２に接続される。
【０１４１】
レリーズ釦２は、制御回路４２で、後述する半押し状態と全押し状態とを判別できるように、半押し状態と全押し状態と非操作状態とで異なる信号を出力可能な構造とされている。
【０１４２】
レンズ１２を介して光電変換素子１０１の撮像面に結像された被写体像は、光電変換素子１０１で電気信号に変換され、信号処理回路２０３で、γ処理、ホワイトバランス処理等の所定の信号処理が施された後、記憶媒体８２に例えばディジタル信号として記憶される。
【０１４３】
さらに、集音装置であるマイク８３から出力された音声信号は、信号処理回路２０３で増幅された後、記憶媒体８２に例えばディジタル信号として記憶される。
【０１４４】
制御回路４２は、上記光電変換素子１０１の駆動回路を含み、該駆動回路によって光電変換素子１０１を駆動制御すると共に、信号処理回路２０３の動作、及び記憶媒体８２への画像信号、音声信号の書きこみを制御する。
【０１４５】
領域選択部材４ａ，４ｂ，４ｃ，４ｄは、各々、スイッチ３８，３９，４０，４１に連動する。
【０１４６】
スイッチパルス発生回路３４，３５，３６，３７は、各々スイッチ３８，３９，４０，４１に接続され、各々のスイッチの操作に基づいて、制御回路４２に対してスイッチパルスを発生する。
【０１４７】
第２の実施形態における制御回路４２は、さらに撮影者によるカメラの保持方向を検出し、例えばカメラ本体１のどの部分が重力に対して上方向を向いているかを示す信号を出力する傾斜センサ５０１に接続されると共に、イヤホン２１が接続されるイヤホンジャック５００に音源ＩＣ５０２を介して接続される。
【０１４８】
傾斜センサ５０１は、例えば、空気と共に液体の封入された密閉容器と、発光部と受光部とを有するフォトカプラなどによって構成される。
【０１４９】
フォトカプラは、空気と液体の封入された密閉容器の各部分の光透過率を測定し、傾斜センサ５０１は空気部分と液体部分との光透過率の違いに基づいて、密閉容器内の空気の位置を識別することで、重力に対する上方向を検出可能な構成とされる。
【０１５０】
制御回路４２は、傾斜センサ５０１の出力する出力信号に基づいて、カメラが縦方向で構えられているか横方向で構えられているかについて判別し、さらに、音源ＩＣ５０２を制御して、イヤホンジャック５００を介して、イヤホン２１にステレオ音声信号を出力する。
【０１５１】
本発明による第２の実施形態においては、操作者は、イヤホン２１のＲ聴音部、Ｌ聴音部の各々の聴音部から発生する音によって、選択された焦点検出領域を識別する。
【０１５２】
例えば、傾斜センサ５０１によって、カメラの保持方向が、マイク８３が上方に配置される横方向であることが検出され、選択された焦点検出領域が図５の２６ｂ，２６ｄの位置である場合には、制御回路４２は、音源ＩＣ５０２を介して、
各々、イヤホン２１のＲ聴音部、Ｌ聴音部から音を出力することで、選択された焦点検出領域を撮影者に告知する。
【０１５３】
また、選択された焦点検出領域が図５の２６ｅの位置である場合には、制御回路４２は、音源ＩＣ５０２を介して、イヤホン２１のＲ聴音部とＬ聴音部とから同時に音を出力することで、選択された焦点検出領域を、撮影者に告知する。
【０１５４】
一方、選択された焦点検出領域が図５の２６ａの位置である場合には、上記の焦点検出領域が図５の２６ｅの位置である場合に比べて高い周波数の音が、イヤホン２１のＲ聴音部とＬ聴音部とから、同時に出力される。
【０１５５】
さらに、選択された焦点検出領域が図５の２６ｃの位置である場合には、上記の焦点検出領域が図５の２６ｅの位置である場合に比べて低い周波数の音が、イヤホン２１のＲ聴音部とＬ聴音部とから、同時に出力される。
上記の選択された焦点検出領域の識別形態は、カメラの撮影方向によって変更される。
【０１５６】
例えば、傾斜センサ５０１によって、カメラの保持方向が、グリップ部側の側面が上方に配置される第１の縦方向に変更されたことが検出され、選択された焦点検出領域が図５の２６ｃの位置である場合には、制御回路４２は、音源ＩＣ５０２を介して、イヤホン２１のＲ聴音部から音を出力することで、選択された焦点検出領域を、撮影者に告知する。
【０１５７】
また、選択された焦点検出領域が図５の２６ｅの位置である場合には、制御回路４２は、音源ＩＣ５０２を介して、イヤホン２１のＲ聴音部とＬ聴音部とから同時に音を出力することで、選択された焦点検出領域を、撮影者に告知する。
【０１５８】
一方、選択された焦点検出領域が図５の２６ｂの位置である場合には、上記の焦点検出領域が図５の２６ｅの位置である場合に比べて高い周波数の音が、イヤホン２１のＲ聴音部とＬ聴音部とから、同時に出力される。
【０１５９】
さらに、選択された焦点検出領域が図５の２６ｄの位置である場合には、上記の焦点検出領域が図５の２６ｅの位置である場合に比べて低い周波数の音が、イヤホン２１のＲ聴音部とＬ聴音部とから、同時に出力される。
【０１６０】
また、例えば、傾斜センサ５０１によって、カメラの保持方向が、電源スイッチ８０側の側面が上方に配置される第２の縦方向に変更されたことが検出され、選択された焦点検出領域が図５の２６ａの位置である場合には、制御回路４２は、音源ＩＣ５０２を介して、イヤホン２１のＲ聴音部から音を出力することで、選択された焦点検出領域を、撮影者に告知する。
【０１６１】
また、選択された焦点検出領域が図５の２６ｅの位置である場合には、制御回路４２は、音源ＩＣ５０２を介して、イヤホン２１のＲ聴音部とＬ聴音部とから同時に音を出力することで、選択された焦点検出領域を、撮影者に告知する。
【０１６２】
一方、選択された焦点検出領域が図５の２６ｄの位置である場合には、上記の焦点検出領域が図５の２６ｅの位置である場合に比べて高い周波数の音が、イヤホン２１のＲ聴音部とＬ聴音部とから、同時に出力される。
【０１６３】
さらに、選択された焦点検出領域が図５の２６ｂの位置である場合には、上記の焦点検出領域が図５の２６ｅの位置である場合に比べて低い周波数の音が、イヤホン２１のＲ聴音部とＬ聴音部とから、同時に出力される。
【０１６４】
このように、第２の実施形態においては、カメラの保持方向において右側、左側の領域が焦点検出領域として選択された場合には、各々イヤホン２１のＲ聴音部、Ｌ聴音部から発生される音によって選択領域が告知され、中央の領域が焦点検出領域として選択された場合には、Ｒ聴音部とＬ聴音部との両方から同時に発生される音によって選択領域が告知される。
【０１６５】
上記のように選択された領域の位置によって異なる発音部（Ｒ聴音部、Ｌ聴音部）から発音させることに代えて、選択された領域の位置によって各発音部から発音させる音の音量の大小関係を変更する構成としてもよい。
【０１６６】
このような構成とすることで、撮影者は、音の聞こえる方向から選択された領域の横方向の位置を直感的に判断することができる。
【０１６７】
さらに、カメラの保持方向において、上側の領域が焦点検出領域として選択された場合には、中央領域が選択された際に発生される音の周波数より高い周波数の音をイヤホン２１から発生させる。一方、カメラの保持方向において、下側の領域が焦点検出領域として選択された場合には、中央領域が選択された際に発生される音の周波数より低い周波数の音をイヤホン２１から発生させる。
【０１６８】
このような構成とすることで、撮影者は、イヤホン２１から発生される音の発音特性（音の高低）によって、選択された領域の縦方向の位置を直感的に判断することができる。
【０１６９】
次に、本発明の第２の実施形態による焦点検出領域の選択動作について説明する。
【０１７０】
本実施形態によるカメラは、前記領域選択部材４ａ〜４ｄを用いて図５に示す５つの焦点検出領域の中から所望の焦点検出領域を手動で選択することができる。
【０１７１】
撮影者が撮影準備に入り、レリーズ釦２を半押しした時、制御回路４２は、傾斜センサ５０１の出力を読みこみ、読みこまれた信号をもとに、カメラが縦位置で構えられているか横位置で構えられているかについて判断する。
【０１７２】
この段階で、図７（ａ）中に太線で示される焦点検出領域として、領域マーク２６ｂの位置が選択されていたとすると、例えば、カメラが、マイク８３が上方に配置される横位置に構えられている場合には、制御回路４２は、音源ＩＣ５０２に対して、イヤホン２１のＲ聴音部のみから音が発生されるように制御信号を出力する。音源ＩＣ５０２は、この制御信号を受けて、イヤホン２１のＲ聴音部から所定時間の間、音を出力させる。
【０１７３】
次に図７（ｂ）のように領域マーク２６ａの位置に焦点検出領域を移動させるべく、領域選択部材４ｄを使い領域マーク２６ｅの位置まで移動させる。
【０１７４】
この時、制御回路４２は音源ＩＣ５０２に対して、イヤホン２１のＲ聴音部とＬ聴音部とから音が発生されるように制御信号を出力する。音源ＩＣ５０２は、この制御信号を受けて、イヤホン２１のＲ聴音部とＬ聴音部とから所定時間の間、
同時に音を出力させる。
【０１７５】
さらに領域選択部材４ａを使って焦点検出領域を領域マーク２６ａの位置に移動させる。この時、制御回路４２は、音源ＩＣ５０２に対してイヤホン２１のＲ聴音部とＬ聴音部とから、例えば上記領域マーク２６ｅ選択時の音の周波数より高い周波数の音が発生されるように制御信号を出力する。音源ＩＣ５０２は、この制御信号を受けて、イヤホン２１のＲ聴音部とＬ聴音部とから所定時間の間、領域マーク２６ｅ選択時の周波数より高い周波数の音を同時に出力させる。
【０１７６】
このような構成とすることで、撮影者は視覚によらず音によって選択された焦点検出領域の位置を直感的に識別することができる。
【０１７７】
ここで、例えば、イヤホン２１の発生する音の高低に代えて、選択された焦点検出領域の縦方向の位置によって、音の長短、音の大小、和音の構成等の発音特性を変更する構成としても同様の効果を得ることができる。
【０１７８】
このようにして、撮影者により、ある焦点検出領域が選択されると、焦点検出装置１５は、その焦点検出領域が検出している被写体に合焦しているか否かを判別し、それに応じた信号を、焦点検出情報として制御回路４２に出力する。
【０１７９】
制御回路４２は、焦点検出装置１５から出力される焦点検出情報に基づいて、レンズ駆動装置２０に対して制御信号を出力する。レンズ駆動装置２０は、この制御信号を受けて、動力伝達装置２４を介して、動力を駆動装置２２に伝達し、レンズ群１０の中の少なくとも一枚のレンズを駆動して合焦動作を行う。
【０１８０】
以下、図１１及び図１２に示すフローチャートにより、本発明による第２の実施形態の動作について説明する。
【０１８１】
図１１、及び図１２に示されるフローチャートは、制御回路４２によって繰り返し実行される。
【０１８２】
図１１のステップＳ１１１において、カメラ本体１に設けられた電源スイッチ８０がオンされると、カメラ本体１およびレンズ１２の各部においてイニシャライズ動作が開始される。
【０１８３】
この時点で、カメラ本体１の制御回路４２に含まれるＭＰＵのイニシャライズが行われ、外部表示器９は表示可能状態、メインミラー１３とサブミラー１４は図２に示される撮影待機状態、イヤホン２１は消音状態とされ、レンズ１２のレンズ群１０内の各レンズは各々駆動装置２２によって所定の位置に配置される。
【０１８４】
ステップＳ１１１に続くステップＳ１１２において、制御回路４２は、レリーズ釦２の状態を示す信号を受けつけて、レリーズ釦２が半押しされているか否かについて判断する。
【０１８５】
制御回路４２は、ステップＳ１１２で、レリーズ釦２が半押しされたと判断すると、傾斜センサ５０１から出力される信号に基づいて、カメラの保持方向が横位置であるか否かについて判断する（ステップＳ１１３）。
【０１８６】
一方、制御回路４２は、ステップＳ１１２でレリーズ釦２が半押しされていないと判断すると、ステップＳ１３１に分岐し、本処理を終了する。
【０１８７】
ステップＳ１１３で、カメラの保持方向が横方向であると判断されると、制御回路４２は、ステップＳ１１４で、図５に示される領域マーク２６ｂ，２６ｄを各々右領域、左領域として２チャンネルのステレオ音で、また図５に示される領域マーク２６ａ，２６ｃを、各々上領域、下領域として音の高低（例えば音階）で、撮影者に告知するようにセットされる。
【０１８８】
一方、ステップＳ１１３で、カメラの保持方向が横方向ではないと判断されると、ステップＳ２１３において、図１に示されるカメラ本体１のグリップ部側側面が上向きであるか否かが判断される。
【０１８９】
ステップＳ２１３で、グリップ部側側面が上向きであると判断されると、制御回路４２は、ステップＳ２１４で、図５に示される領域マーク２６ｃ，２６ａを各々右領域、左領域として、２チャンネルのステレオ音で、また図５に示される領域マーク２６ｂ，２６ｄを各々上領域、下領域として、音の高低（例えば音階）で、撮影者に告知するようにセットされる。
【０１９０】
ステップＳ２１３で、グリップ部側側面が上向きではないと判断されると、制御回路４２は、ステップＳ２１５で、図５に示される領域マーク２６ａ，２６ｃを各々右領域、左領域として２チャンネルのステレオ音で、また図５に示される領域マーク２６ｄ，２６ｂを各々上領域、下領域として、音の高低（例えば音階）で、撮影者に告知するようにセットされる。
【０１９１】
制御回路４２は、ステップＳ１１５で、現在の焦点検出領域の位置を確認し、、ステップＳ１１６で、確認された焦点検出領域の位置に基づいた音を、カメラの保持方向に応じて、イヤホン２１から出力させる。
【０１９２】
例えば、焦点検出領域の位置が、図５の２６ｂの位置であり、ステップＳ１１３でカメラの保持方向が横方向と判断された場合には、制御回路４２はイヤホン２１のＲ聴音部より、例えばハ長調の「ミ」の音を出力させる。
【０１９３】
また、例えば、焦点検出領域の位置が、図５の２６ｂの位置であり、ステップＳ２１３でカメラの保持方向が、グリップ部側面が上向きとなる方向と判断された場合には、制御回路４２はイヤホン２１のＲ聴音部とＬ聴音部とから、例えばハ長調の「ミ」より周波数の高い「ソ」の音を出力させる。
【０１９４】
このように、ステップＳ１１６で、イヤホン２１から出力される音は、同じ領域マーク位置であっても、カメラの保持方向によって異なるものとなる。
【０１９５】
次にステップＳ１１７で、制御回路４２に含まれるＭＰＵのタイマー処理によって所定時間が経過したか否かが判断される。所定時間としては、例えば４秒が選ばれるが、４秒には限定されない。制御回路４２は、所定時間が経過するまでステップＳ１１７を繰り返す。
【０１９６】
ステップＳ１１７により所定の時間が経過すると、ステップＳ１１８で、焦点検出領域が領域選択部材４ａ〜４ｄの何れかによって切り替えられたか否かを判断する。即ち、制御回路４２は、スイッチ３８，３９，４０，４１に各々接続されるパルス発生回路３４，３５，３６，３７よりパルスが発生されたか否かを判断する。
【０１９７】
パルス発生回路３４，３５，３６，３７の何れかからパルスが発生された、即ち焦点検出領域が切り替えられたと判断した場合には、ステップＳ１２４で、制御回路４２は、傾斜センサ５０１から出力される信号に基づいて、カメラの保持方向が横方向であるか否かについて判断する。
【０１９８】
ステップＳ１２４で、カメラの保持方向が横方向であると判断されると、制御回路４２は、ステップＳ１２５で、図５に示される領域マーク２６ｂ，２６ｄを各々右領域、左領域として２チャンネルのステレオ音で、また図５に示される領域マーク２６ａ，２６ｃ方向を各々上領域下領域として音の高低（例えば音階）で、撮影者に告知するようにセットされる。
【０１９９】
一方、ステップＳ１２４で、カメラの保持方向が横方向ではないと判断されると、ステップＳ２２４において、図１に示されるカメラ本体１のグリップ部側側面が上向きであるか否かが判断される。
【０２００】
ステップＳ２２４で、グリップ部側側面が上向きであると判断されると、制御回路４２は、ステップＳ２２５で、図５に示される領域マーク２６ｃ，２６ａを各々右領域、左領域として、２チャンネルのステレオ音で、また図５に示される領域マーク２６ｂ，２６ｄを各々上領域、下領域として、音の高低（例えば音階）で、撮影者に告知するようにセットされる。
【０２０１】
ステップＳ２２４で、グリップ部側側面が上向きではないと判断されると、制御回路４２は、ステップＳ２２６で、図５に示される領域マーク２６ａ，２６ｃを各々右領域、左領域として、２チャンネルのステレオ音で、また図５に示される領域マーク２６ｄ，２６ｂを各々上領域、下領域として、音の高低（例えば音階）で、撮影者に告知するようにセットされる。
【０２０２】
制御回路４２は、ステップＳ１２６で、現在の焦点検出領域の位置を確認し、、ステップＳ１２７で、確認された焦点検出領域の位置に基づいた音を、イヤホン２１から出力させる。
【０２０３】
ステップＳ１２７の処理の終了後、再び、ステップＳ１１７に戻り、所定時間の経過の後、領域選択部材４ａ〜４ｄの何れかによって焦点検出領域が切り替えられたか否かを判定し（ステップＳ１１８）、焦点検出領域が切り替えられていれば、前述と同じ過程（ステップＳ１２５〜Ｓ１２７、Ｓ２２４〜２２６）を繰り返す。
【０２０４】
ステップＳ１１８で、焦点検出領域が切り替えられていなければ、即ち所定時間内に領域選択部材４ａ〜４ｄの何れも操作されていなければ、制御回路４２は、
レリーズ釦２が半押し状態か否かについてステップＳ１１２と同様の方法によって判断する（ステップＳ１１９）。
【０２０５】
ステップＳ１１９で、レリーズ釦２が半押しされていると判断した場合には、制御回路４２は、焦点検出装置１５によって、選択された焦点検出領域の被写体に対して焦点検出動作を行い（ステップＳ１２０）、レンズ駆動装置２０、動力伝達装置２４、および駆動装置２２によって、レンズ群１０を構成するレンズの少なくとも１枚のレンズを駆動して、合焦動作を行う（ステップＳ１２１）。
【０２０６】
一方、ステップＳ１１９で、レリーズ釦２が半押しされていないと判断した場合には、ステップＳ１３１に分岐し、本動作を終了する。
【０２０７】
ステップＳ１２２で、制御回路４２は、合焦状態にあるか否かを判断し、合焦状態にないと判断した場合には、ステップＳ１１７に戻る。
【０２０８】
ステップＳ１２２に続くステップＳ１２３で、制御回路４２は、レリーズ釦２が全押しされているか否かについて判断する。
【０２０９】
ステップＳ１２３で、レリーズ釦２が全押しされていると判断されると、測光装置１９により測光が行われる（ステップＳ１２４）。
【０２１０】
ステップＳ１２３で、レリーズ釦２が全押しされていないと判断されると、ステップＳ１２３の判断を繰り返す。
【０２１１】
制御回路４２は、ステップＳ１２８で実行される測光の結果に基づいて、適切な露光を行うための光電変換素子１０１の電荷蓄積時間を演算によって決定し、ステップＳ１２９で、上記演算によって得られた電荷蓄積時間以上の間、シャッタ１０２が開口状態を保持するようシャッタ駆動回路２０１を駆動すると共に、メインミラー１３、サブミラー１４を退避状態（ミラーアップ状態）に移行し、光電変換素子１０１が露光するように、ミラー駆動回路２０２に対して駆動信号を発生する。
【０２１２】
制御回路４２は、さらに、光電変換素子１０１に対して、上記演算によって得られた電荷蓄積時間の間、光電変換素子１０１の撮像面上に結像された被写体像による電荷を蓄積するように、光電変換素子１０１に対して駆動信号を発生する。
【０２１３】
ステップＳ１２９に続くステップＳ１３０で、制御回路４２は、光電変換素子１０１に蓄積された蓄積電荷を読み出すように、駆動信号を発生する。
【０２１４】
このようにして光電変換素子１０１から読み出された蓄積電荷は、信号処理回路２０３で、γ処理、ホワイトバランス処理等の所定の処理が施され、記憶媒体８２に、例えばディジタル信号として記憶される。
【０２１５】
制御回路４２は、信号処理回路２０３、記憶媒体８２に対して制御信号を発生し、上記の各処理を実行すると共に、シャッタ駆動回路２０１、ミラー駆動回路２０２を駆動することにより、シャッタ１０２、及びメインミラー１３、サブミラー１４を図２に示される撮影待機状態とする。
【０２１６】
制御回路４２は、ステップＳ１３０に続くステップＳ１３１で、一連の制御を終了する。
【０２１７】
上記図１１、及び図１２のフロ−チャートにおいては、焦点検出の後に、測光が行われる例について示したが、測光の後に焦点検出が行われるものであっても構わない。
【０２１８】
また、上記第２の実施形態においては、焦点検出領域を選択する例について示したが、本発明は、例えば測光領域等、撮影の際に用いる焦点検出領域以外の領域、機能を選択するものについても同様に適用することができる。
【０２１９】
また、上記第２の実施形態においては、発音装置としてイヤホンを例にとって説明したが、左右の耳で独立にステレオ音を聴音可能であればヘッドホン、ステレオ音を再生可能な複数のスピーカ、またはこれにかわるものであってもよい。
【０２２０】
さらに、上記説明においては、撮影者が、複数の領域の中から所望の領域を操作部材を用いて選択する手動モードについて説明したが、本発明は、制御回路４２に含まれるＭＰＵが予め定められたアルゴリズムによって、例えばスクリーン１６上に結像された被写体像より、自動的に領域を選択するような自動モードの場合にも適用することができる。
【０２２１】
即ち、自動モードで選択された領域も、発音装置によって撮影者に告知する構成とすることもできる。
【０２２２】
このような構成とした場合でも、撮影者は、ファインダ視野内の被写体像の視認が妨げられることなく、選択された領域の確認が行える。
【０２２３】
さらには、ファインダ内の被写体像への選択された領域の電気的な重畳表示をオン／オフ可能な構成としておけば、注目する被写体部分と選択された領域とが重ならない場合には、重畳表示をオン状態とすることができる。
【０２２４】
これは、選択された領域をスクリーン１６上の像に電気的に重畳表示するファインダ表示器と、該ファインダ表示器を駆動する表示駆動回路を設け、制御回路４２によって、その表示のオン／オフを制御することで実現できる。
【０２２５】
さらに、上記第２の実施形態によれば、方向検出装置である傾斜センサによってカメラの保持方向を検出し、カメラの保持方向に応じて、複数の発音装置（Ｒ聴音部、Ｌ聴音部）からの発音形態を変更する構成としているので、発音装置がカメラ本体に配置されていない場合にも、選択された領域を、誤りなく直感的に把握することができる。
【０２２６】
以上のように、上記第１、及び第２の実施形態によれば、多点測距可能なカメラにおいて、選択された焦点検出領域の位置を、発音装置の発生する音で確認することができるので、ファインダ内の被写体像の視認を妨げることなく領域の位置を確認することができる。
【０２２７】
上記各実施形態においては、特に、撮影された静止画像を電気信号として記憶媒体に記憶する所謂ディジタルスチルカメラを例にとって説明したが、本発明はこれには限定されず、動画像の記憶が可能なカメラ、あるいはフィルムへの被写体像の記録を行うカメラに対しても同様に適用することが可能である。
【０２２８】
また、本発明は、まだその数は少ないものの、近年増加しつつある視覚障害者によるカメラ撮影に道を開くものである。
【０２２９】
視覚障害者は、本発明によって、選択領域の移動方向に対応した操作部材を用いて領域を選択し、選択された領域を、音、もしくは振動によって容易に把握することが可能となる。
【０２３０】
なお、以上は、本発明による実施形態の一例であり、本発明は、上記の実施形態に限定されるものではない。
【０２３１】
請求項で示した機能、または実施の形態が持つ機能が達成できる機能であればどのようなものであってもよいことは言うまでもない。
【０２３２】
【発明の効果】
以上説明したように、本発明によれば、選択可能な領域に対応付けて発音体を配置し選択された領域に対応する発音体から発音して選択された領域を告知するる構成、あるいは多重音声を用いて選択された領域を告知する構成としたので、ファインダ内の被写体像の視認を妨げることなく選択された領域を直感的に識別することができる。
【図面の簡単な説明】
【図１】本発明の第１の実施形態によるカメラの背面斜視図である。
【図２】本発明によるカメラの側面断面図である。
【図３】焦点検出の説明図である。
【図４】カメラの焦点検出装置の説明図である。
【図５】焦点検出領域の説明図である。
【図６】本発明の第１の実施形態によるカメラのブロックダイグラムである。
【図７】本発明による焦点検出領域切り替えの説明図である。
【図８】本発明の第１の実施形態によるカメラの動作形態を説明するフローチャートである。
【図９】本発明の第２の実施形態によるカメラの背面斜視図である。
【図１０】本発明の第２の実施形態によるカメラのブロックダイグラムである。
【図１１】本発明の第２の実施形態によるカメラの動作形態を説明するフローチャートである。
【図１２】本発明の第２の実施形態によるカメラの動作形態を説明するフローチャートである。
【符号の説明】
１・・・カメラ本体
２・・・レリーズ釦
３ａ〜３ｅ・・・圧電ブザー
４ａ〜４ｄ・・・領域選択部材
５・・・接眼レンズ
６・・・ファインダ接眼窓
８・・・情報設定ダイアル
９・・・外部表示器
１０・・・レンズ群
１１・・・裏蓋
１２・・・レンズ
１３・・・メインミラー
１４・・・サブミラー
１５・・・焦点検出装置
１６・・・スクリーン
１７・・・ペンタプリズム
１８・・・プリズム
１９・・・測光装置
２０・・・レンズ駆動装置
２１・・・イヤホン
２２・・・駆動装置
２４・・・動力伝達装置
２５・・・撮影画面
２６ａ〜２６ｅ・・・焦点検出領域
２７・・・イメージセンサ
２８・・・測光素子
２９・・・表示駆動回路
３１・・・パルス発生回路
４２・・・制御回路
８０・・・電源スイッチ
８１・・・記憶媒体
８２・・・記憶媒体挿脱用開口部
８３・・・マイク
１００・・・電気回路
１０１・・・光電変換素子
１０２・・・シャッタ
１４０ａ，１４０ｂ・・・センサ
２００・・・電池
２０１・・・シャッタ駆動回路
２０２・・・ミラー駆動回路
２０３・・・信号処理回路
３００・・・フィールドレンズ
３１０ａ，３１０ｂ・・・再結像レンズ
３２０・・・射出瞳
３３０・・・領域
３４０・・・領域
５００・・・イヤホンジャック
５０１・・・傾斜センサ
５０２・・・音源ＩＣ
【図１】
2005043488.tif 000003
【図２】
2005043488.tif 000004
【図３】
2005043488.tif 000005
【図４】
2005043488.tif 000006
【図５】
2005043488.tif 000007
【図６】
2005043488.tif 000008
【図７】
2005043488.tif 000009
【図８】
2005043488.tif 000010
【図９】
2005043488.tif 000011
【図１０】
2005043488.tif 000012
【図１１】
2005043488.tif 000013
【図１２】
2005043488.tif 000014